(57)【特許請求の範囲】
【請求項１】
野地に固定されると共に、保持部材を介して瓦が固定されることによって当該瓦を前記野地に固定する瓦桟であって、
外側面の一部に形成され、前記保持部材を係止可能な切欠部と、
前記切欠部の一部を凹ませるようにして形成された係合部と、を具備し、
前記切欠部の高さと前記係合部の高さを合わせた値は、前記瓦桟の高さの半分以下となるように形成されている、
瓦桟。
【請求項２】
前記切欠部は、
前記瓦桟の底部のうち、長手方向に対する幅方向の一側端部を上方に向かって凹ませるようにして形成されている、
請求項１に記載の瓦桟。
【請求項３】
前記切欠部は、
長手方向全域に亘るように形成されている、
請求項１又は請求項２に記載の瓦桟。
【請求項４】
前記瓦桟の底部に形成され、当該底部の長手方向に対する幅方向一側と他側とを連通するように形成された溝部をさらに具備する、
請求項１から請求項３までのいずれか一項に記載の瓦桟。
【請求項５】
野地に固定された瓦桟と、
前記瓦桟の上方に配置された瓦と、
前記瓦と前記瓦桟とを保持する保持部材と、
を具備し、
前記瓦桟は、
外側面の一部に形成され、前記保持部材を係止可能な切欠部と、
前記切欠部の一部を凹ませるようにして形成された第一係合部と、を具備し、
前記切欠部の高さと前記第一係合部の高さを合わせた値は、前記瓦桟の高さの半分以下となるように形成され、
前記保持部材の一部は、
前記切欠部に係止されている、
瓦の取付構造。
【請求項６】
前記切欠部は、
前記瓦桟の底部のうち、長手方向に対する幅方向の一側端部を上方に向かって凹ませるようにして形成されている、
請求項５に記載の瓦の取付構造。
【請求項７】
前記瓦桟は、
長手方向を前記野地の流れ方向と略直交する方向に向けて配置され、
前記切欠部は、
前記瓦桟の長手方向全域に亘るように形成されている、
請求項５又は請求項６に記載の瓦の取付構造。
【請求項８】
前記保持部材は、
前記第一係合部に係合可能な第二係合部を具備する、
請求項５から請求項７までのいずれか一項に記載の瓦の取付構造。
【請求項９】
前記瓦桟は、
前記瓦桟の底部に形成され、当該底部の長手方向に対する幅方向一側と他側とを連通するように形成された溝部をさらに具備する、
請求項５から請求項８までのいずれか一項に記載の瓦の取付構造。
【発明の詳細な説明】
【技術分野】
【０００１】
本発明は、瓦を野地に固定するための瓦桟、及び当該瓦桟を用いた瓦の取付構造の技術に関する。
【背景技術】
【０００２】
従来、瓦を野地に固定するための瓦桟、及び当該瓦桟を用いた瓦の取付構造の技術は公知となっている。例えば、特許文献１に記載の如くである。
【０００３】
特許文献１には、野地に設けられた瓦桟と、瓦桟の上方に配置された瓦と、瓦桟に瓦の尻部を固定する瓦保持クリップと、を具備する瓦の取付構造が記載されている。瓦保持クリップは横Ｕ字部を有し、当該横Ｕ字部の上部と下部との間に瓦及び瓦桟を挟み込むことで、瓦桟に瓦を固定することができる。
【０００４】
しかしながら、特許文献１に記載の技術では、瓦及び瓦桟を瓦保持クリップで上下から挟み込むために、瓦桟の下方に横Ｕ字部の下部を入り込ませるための隙間（空間）が必要になる。そこで特許文献１に記載の技術では、野地と瓦桟との間に縦桟（堅桟）を設け、瓦桟を野地から浮かせることで当該瓦桟と野地との間に隙間（空間）を形成している。
【０００５】
このように特許文献１に記載の技術では、瓦保持クリップを使用するために縦桟を設ける必要がある。このため、材料費や施工工程が増加してしまう点で不利であった。
【先行技術文献】
【特許文献】
【０００６】
【特許文献１】特開２０１５−９０００８号公報
【発明の概要】
【発明が解決しようとする課題】
【０００７】
本発明は以上の如き状況に鑑みてなされたものであり、その解決しようとする課題は、瓦を野地に固定する際の材料費や施工工程を削減することが可能な瓦桟及び瓦の取付構造を提供することである。
【課題を解決するための手段】
【０００８】
本発明の解決しようとする課題は以上の如くであり、次にこの課題を解決するための手段を説明する。
【０００９】
即ち、請求項１においては、野地に固定されると共に、保持部材を介して瓦が固定されることによって当該瓦を前記野地に固定する瓦桟であって、外側面の一部に形成され、前記保持部材を係止可能な切欠部と、前記切欠部の一部を凹ませるようにして形成された係合部と、を具備し、前記切欠部の高さと前記係合部の高さを合わせた値は、前記瓦桟の高さの半分以下となるように形成されているものである。
【００１０】
請求項２においては、前記切欠部は、前記瓦桟の底部のうち、長手方向に対する幅方向の一側端部を上方に向かって凹ませるようにして形成されているものである。
【００１１】
請求項３においては、前記切欠部は、長手方向全域に亘るように形成されているものである。
【００１２】
請求項４においては、前記瓦桟の底部に形成され、当該底部の長手方向に対する幅方向一側と他側とを連通するように形成された溝部をさらに具備するものである。
【００１３】
請求項５においては、野地に固定された瓦桟と、前記瓦桟の上方に配置された瓦と、前記瓦と前記瓦桟とを保持する保持部材と、を具備し、前記瓦桟は、外側面の一部に形成され、前記保持部材を係止可能な切欠部と、前記切欠部の一部を凹ませるようにして形成された第一係合部と、を具備し、前記切欠部の高さと前記第一係合部の高さを合わせた値は、前記瓦桟の高さの半分以下となるように形成され、前記保持部材の一部は、前記切欠部に係止されているものである。
【００１４】
請求項６においては、前記切欠部は、前記瓦桟の底部のうち、長手方向に対する幅方向の一側端部を上方に向かって凹ませるようにして形成されているものである。
【００１５】
請求項７においては、前記瓦桟は、長手方向を前記野地の流れ方向と略直交する方向に向けて配置され、前記切欠部は、前記瓦桟の長手方向全域に亘るように形成されているものである。
【００１６】
請求項８においては、前記保持部材は、前記第一係合部に係合可能な第二係合部を具備するものである。
【００１７】
請求項９においては、前記瓦桟は、前記瓦桟の底部に形成され、当該底部の長手方向に対する幅方向一側と他側とを連通するように形成された溝部をさらに具備するものである。
【発明の効果】
【００１９】
本発明の効果として、以下に示すような効果を奏する。
【００２０】
請求項１においては、瓦を野地に固定する際の材料費や施工工程を削減することができる。また、係合部に保持部材を係合させることで、瓦を瓦桟に強固に固定することができる。
【００２１】
請求項２においては、瓦を野地に固定する際の材料費や施工工程を削減することができる。
【００２２】
請求項３においては、瓦桟の長手方向の任意の位置で瓦を固定することができる。
【００２３】
請求項４においては、流れ方向に水を流通させること（水抜き）ができる。
【００２４】
請求項５においては、瓦を野地に固定する際の材料費や施工工程を削減することができる。
【００２５】
請求項６においては、瓦を野地に固定する際の材料費や施工工程を削減することができる。
【００２６】
請求項７においては、瓦桟の長手方向の任意の位置で瓦を固定することができる。
【００２７】
請求項８においては、第一係合部に保持部材の第二係合部を係合させることで、瓦を瓦桟に強固に固定することができる。
【００２８】
請求項９においては、流れ方向に水を流通させること（水抜き）ができる。
【図面の簡単な説明】
【００３０】
【図１】屋根に瓦が固定された状態を示した平面図。
【図２】瓦桟を示した下方斜視図。
【図３】（ａ）瓦桟を示した正面図。（ｂ）同じく、側面図。
【図４】（ａ）瓦保持クリップを示した上方斜視図。（ｂ）同じく、下方斜視図。
【図５】瓦保持クリップが瓦に挿入された状態を示した上方斜視図。
【図６】瓦保持クリップで瓦及び瓦桟を挟み込む様子を示した上方斜視図。
【図７】瓦保持クリップで瓦を瓦桟に固定した状態を示した側面断面図。
【図８】第一変形例に係る瓦の取付構造を示した側面断面図。
【図９】第二変形例に係る瓦桟を示した下方斜視図。
【図１０】第二変形例に係る瓦桟を示した側面図。
【図１１】第三変形例に係る瓦の取付構造を示した側面断面図。
【図１２】第四変形例に係る瓦桟を示した下方斜視図。
【図１３】第五変形例に係る瓦桟を示した下方斜視図。
【図１４】第五変形例に係る瓦桟を示した側面図。
【発明を実施するための形態】
【００３１】
以下では、図中の矢印に基づいて、前後方向、左右方向及び上下方向を定義して説明を行う。
【００３２】
まず、図１を用いて、本発明の一実施形態に係る瓦１０の取付構造の概略について説明する。
【００３３】
本実施形態においては、屋根の野地Ａ（より詳細には、当該野地Ａの上部に設けられた防水層Ｂ）の上に瓦桟２０が固定される。瓦桟２０は、長手方向を野地Ａ（屋根）の流れ方向（図１における前後方向）と略直交する方向（図１における左右方向）に配置される横桟である。瓦桟２０は、流れ方向（前後方向）に所定の間隔を空けて複数設けられる。瓦１０は、適宜整列された状態で瓦桟２０の上方に配置される。瓦保持クリップ３０によって、瓦１０と瓦桟２０とが保持される。
【００３４】
このように、瓦保持クリップ３０によって瓦１０と瓦桟２０とを保持することで、当該瓦１０が野地Ａ（屋根）に固定される。
【００３５】
次に、図２から図４までを用いて、瓦１０の取付構造の各部（特に、瓦桟２０及び瓦保持クリップ３０）の構成について説明する。
【００３６】
図２及び図３に示す瓦桟２０は、略四角柱状の部材である。具体的には、瓦桟２０は、幅ｘ１（側面視（図３（ａ））における前後方向幅）が約４０ｍｍ、高さｘ２が約２５ｍｍ、長さｘ３（長手方向長さ）が約３０００ｍｍとなるように形成される。瓦桟２０は適宜の材料（樹脂や木材等）によって形成される。瓦桟２０には、主として切欠部２１、第一係合部２２及び溝部２３が形成される。
【００３７】
切欠部２１は、瓦桟２０の外側面の一部、より詳細には瓦桟２０の底部のうち一部を上方に向かって凹ませるようにして形成された部分である。具体的には、切欠部２１は、瓦桟２０の底部のうち、後端から前後略中央部までを上方に向かって凹ませるようにして形成される。より具体的には、切欠部２１の前後方向幅ｘ４は約２０ｍｍとなるように形成される。すなわち、瓦桟２０の前後方向幅ｘ１のうち、後側の約１／２（半分）の部分に切欠部２１が形成されることになる。言い換えると、瓦桟２０の前後方向幅ｘ１のうち、前側の約１／２の部分には切欠部２１は形成されていない。当該前側の部分の前後方向幅ｘ５は約２０ｍｍとなる。また切欠部２１の高さｘ６（深さ）は約６ｍｍとなるように形成される。切欠部２１は、瓦桟２０の長手方向の全域に亘って形成される。このように切欠部２１を形成することで、瓦桟２０の下部には、側面視（図３（ｂ）参照）矩形状の空間が確保される。
【００３８】
第一係合部２２は、切欠部２１の一部をさらに上方に向かって凹ませるようにして形成された部分である。具体的には、第一係合部２２は、切欠部２１の前端部を上方に向かって凹ませるようにして形成される。より具体的には、第一係合部２２の前後方向幅ｘ７は約５ｍｍとなるように形成される。また第一係合部２２の高さｘ８（切欠部２１からの深さ）は約４ｍｍとなるように形成される。第一係合部２２は、瓦桟２０の長手方向の全域に亘って形成される。
【００３９】
溝部２３は、瓦桟２０の底部に形成され、当該底部の前後方向一側と他側とを連通するように形成された部分である。具体的には、溝部２３は、瓦桟２０の底部のうち、前端から前後略中央部まで（切欠部２１以外の部分）を上方に向かって凹ませるようにして形成される。溝部２３は、瓦桟２０の幅方向（図２及び図３における前後方向）に延びるように形成される。溝部２３の一端（前端）は瓦桟２０の前側面に開口され、溝部２３の他端（後端）は切欠部２１に開口される。このようにして、溝部２３によって、瓦桟２０の前側面と切欠部２１とが連通される。溝部２３は、瓦桟２０の長手方向に沿って互いに適宜の間隔をあけて複数形成される。
【００４０】
図４に示す瓦保持クリップ３０は、円形断面を有する棒状の部材を適宜屈曲させて形成されるものである。瓦保持クリップ３０は適宜の材料（金属等）によって形成される。瓦保持クリップ３０は、主として挿入部３１、接続部３２及び保持部３３を具備する。
【００４１】
挿入部３１は、瓦１０に挿入される部分である。挿入部３１は、上下方向に延びるように形成される。
【００４２】
接続部３２は、挿入部３１と後述する保持部３３とを接続する部分である。接続部３２には、略水平方向に延びるように形成される。接続部３２の一端は、挿入部３１の上端と一体的に連結される。接続部３２の他端は、後述する保持部３３と一体的に連結される。
【００４３】
保持部３３は、瓦１０と瓦桟２０とを保持することで、当該瓦１０を瓦桟２０に対して固定する部分である。保持部３３は、側面視において略横Ｕ字状（側方に向けて開口したＵ字状）となるように形成される。保持部３３は、主として上部３３ａ、側部３３ｂ及び下部３３ｃを具備する。
【００４４】
上部３３ａは、略水平方向に延びるように形成される。上部３３ａの一端は、接続部３２の他端と一体的に連結される。
【００４５】
側部３３ｂは、上下方向に延びるように形成される。側部３３ｂの上端は、上部３３ａの他端と一体的に連結される。
【００４６】
下部３３ｃは、略水平方向に延びるように形成される。下部３３ｃの一端は、側部３３ｂの下端と一体的に連結される。下部３３ｃの他端には、第二係合部３３ｄが形成される。
【００４７】
第二係合部３３ｄは、下部３３ｃの一部を屈曲させて形成される部分である。具体的には、第二係合部３３ｄは、下部３３ｃの他端部近傍を上方に向かって屈曲させることで形成される。これによって下部３３ｃの他端部（第二係合部３３ｄ）は上方に向かって突出することになる。
【００４８】
以下では、図５から図７までを用いて、瓦１０を屋根（野地Ａ）に固定する方法について説明する。
【００４９】
まず、図５に示すように、瓦桟２０が野地Ａ（防水層Ｂ）の上部に固定される。この際瓦桟２０は、切欠部２１が野地Ａの流れ方向の水上側（図５における後側）を向くように配置される。瓦桟２０は、底部（より詳細には、底部のうち切欠部２１以外の部分）が野地Ａ（防水層Ｂ）と接触することになる。
【００５０】
次に、瓦１０の尻部（後部）が瓦桟２０の上部に載置される。この状態で、瓦保持クリップ３０の挿入部３１が、当該瓦１０の尻部を上下に貫通する孔１１に挿入される。挿入部３１を孔１１に挿入する際には、瓦保持クリップ３０の保持部３３が瓦１０や瓦桟２０と干渉しないように、当該保持部３３は挿入部３１の後方に向けられる。
【００５１】
次に、図６及び図７に示すように、瓦保持クリップ３０を、挿入部３１を中心として平面視反時計回りに回動させる。これによって、当該瓦保持クリップ３０の保持部３３によって瓦１０と瓦桟２０とが上下から挟み込まれる。
【００５２】
具体的には、瓦保持クリップ３０が回動されると、保持部３３の上部３３ａが瓦１０の尻部の上方に移動すると共に、保持部３３の下部３３ｃが瓦桟２０の下方（切欠部２１と野地Ａとの間の空間）に移動する。この状態では、保持部３３の上部３３ａと下部３３ｃとが瓦１０及び瓦桟２０を挟み込むようにして当該瓦１０及び瓦桟２０に係止される。
【００５３】
またこの際、瓦保持クリップ３０は、第二係合部３３ｄが瓦桟２０の第一係合部２２に到達するまで回動される。第二係合部３３ｄが第一係合部２２に到達すると、当該第二係合部３３ｄが第一係合部２２に向かって突出し、当該第二係合部３３ｄと第一係合部２２とが係合する。これによって、瓦保持クリップ３０の回動（特に、平面視時計回り方向への回動）が規制され、当該瓦保持クリップ３０が瓦桟２０から外れ難くなる。
【００５４】
このようにして、瓦保持クリップ３０を用いて瓦１０を瓦桟２０に固定することができ、ひいては当該瓦１０を屋根（野地Ａ）に固定することができる。この際、釘を野地Ａに打ち付けることがないため防水層Ｂに孔が空くことがなく、屋根の防水性を維持することができる。
【００５５】
以上の如く、本実施形態に係る瓦桟２０は、
野地Ａに固定されると共に、瓦保持クリップ３０（保持部材）を介して瓦１０が固定されることによって当該瓦１０を野地Ａに固定する瓦桟２０であって、
外側面の一部に形成され、瓦保持クリップ３０を係止可能な切欠部２１を具備するものである。
【００５６】
このように構成することにより、瓦１０を野地Ａに固定する際の材料費や施工工程を削減することができる。
すなわち、切欠部２１に瓦保持クリップ３０を係止することができるため、瓦桟２０を野地Ａから浮かせて瓦保持クリップ３０を係止させるための隙間を確保する必要がなくなる。これによって、瓦桟２０を浮かせるための部材（縦桟）や、そのための施工工程が不要となる。さらに、瓦桟２０を野地Ａから浮かせる必要がないため、当該瓦桟２０の野地Ａに対する接触面積を広く確保することができる。これによって、当該瓦桟２０の変形や破損等の発生を抑制することができる。
【００５７】
また、切欠部２１は、
瓦桟２０の底部のうち、流れ方向（長手方向に対する幅方向）の水上側（一側）端部を上方に向かって凹ませるようにして形成されている。
【００５８】
このように構成することにより、瓦１０を野地Ａに固定する際の材料費や施工工程を削減することができる。
特に、切欠部２１を底部の一側端部に形成することで、瓦桟２０の形状を単純化することができ、製造コストを削減することができる。
【００５９】
また、切欠部２１は、
長手方向全域に亘るように形成されている。
【００６０】
このように構成することにより、瓦桟２０の長手方向の任意の位置で瓦１０を固定することができる。
【００６１】
また、瓦桟２０は、
切欠部２１の一部を凹ませるようにして形成された第一係合部２２（係合部）をさらに具備するものである。
【００６２】
このように構成することにより、第一係合部２２に瓦保持クリップ３０を係合させることで、瓦１０を瓦桟２０に強固に固定することができる。
【００６３】
また、瓦桟２０は、
瓦桟２０の底部に形成され、当該底部の流れ方向一側と他側とを連通するように形成された溝部２３をさらに具備するものである。
【００６４】
このように構成することにより、流れ方向に水を流通させること（水抜き）ができる。
【００６５】
また、本実施形態に係る瓦１０の取付構造は、
野地Ａに固定された瓦桟２０と、
瓦桟２０の上方に配置された瓦１０と、
瓦１０と瓦桟２０とを保持する瓦保持クリップ３０（保持部材）と、
を具備し、
瓦桟２０は、
外側面の一部に形成され、瓦保持クリップ３０を係止可能な切欠部２１を具備し、
瓦保持クリップ３０の下部３３ｃ（一部）は、
切欠部２１に係止されているものである。
【００６６】
このように構成することにより、瓦１０を野地Ａに固定する際の材料費や施工工程を削減することができる。
【００６７】
また、瓦桟２０は、
長手方向を野地Ａの流れ方向と略直交する方向に向けて配置され、
切欠部２１は、
瓦桟２０の長手方向全域に亘るように形成されている。
【００６８】
このように構成することにより、瓦桟２０の長手方向の任意の位置で瓦１０を固定することができる。
【００６９】
また、瓦桟２０は、
切欠部２１の一部を凹ませるようにして形成された第一係合部２２をさらに具備し、
瓦保持クリップ３０は、
第一係合部２２に係合可能な第二係合部３３ｄを具備するものである。
【００７０】
このように構成することにより、第一係合部２２に瓦保持クリップ３０の第二係合部３３ｄを係合させることで、瓦１０を瓦桟２０に強固に固定することができる。
【００７１】
また、切欠部２１は、瓦桟２０の底部（底面）のうち約１／２の範囲に形成されている。すなわち切欠部２１は、瓦桟２０の幅ｘ１（＝約４０ｍｍ）のうち、後側の幅ｘ４（＝約２０ｍｍ）の範囲に亘って形成されている。
【００７２】
このように構成することにより、瓦桟２０の野地Ａに対する接触面積を広く確保することができる。具体的には、瓦桟２０の底部（底面）のうち約半分の面積を、野地Ａに対する接触面積として確保することができる。これによって、瓦桟２０を安定して野地Ａに配置することができ、また当該瓦桟２０の変形等を効果的に抑制することができる。なお、切欠部２１が形成される範囲を瓦桟２０の底部のうち１／２以下とすることで、瓦桟２０をより安定して配置することもできる。
【００７３】
また、切欠部２１の高さｘ６（深さ）（＝約６ｍｍ）は、瓦桟２０の高さｘ２（＝約２５ｍｍ）の半分以下、より詳細には約１／４となるように形成されている。
【００７４】
このように構成することにより、切欠部２１の上部における瓦桟２０の厚みを大きく確保することができる。具体的には、本実施形態においては、切欠部２１の上部における瓦桟２０の厚みを約１９ｍｍ（ｘ２−ｘ６）確保することができる。これによって、瓦桟２０の当該部分の強度を確保することができ、瓦保持クリップ３０を取り付けた際の変形等を効果的に抑制することができる。
【００７５】
また、切欠部２１の高さｘ６（深さ）（＝約６ｍｍ）と第一係合部２２の高さｘ８（深さ）（＝約４ｍｍ）を合わせた値（ｘ６＋ｘ８＝約１０ｍｍ）は、瓦桟２０の高さｘ２（＝約２５ｍｍ）の半分以下となるように形成されている。
【００７６】
このように構成することにより、第一係合部２２の上部における瓦桟２０の厚みを大きく確保することができる。具体的には、本実施形態においては、第一係合部２２の上部における瓦桟２０の厚みを約１５ｍｍ（ｘ２−ｘ６−ｘ８）確保することができる。これによって、特に応力の加わり易い第一係合部２２の上部の強度を確保することができ、瓦保持クリップ３０を取り付けた際の変形等を効果的に抑制することができる。
【００７７】
なお、本実施形態に係る瓦保持クリップ３０は、本発明に係る保持部材の実施の一形態である。
また、本実施形態に係る第一係合部２２は、本発明に係る係合部の実施の一形態である。
【００７８】
以上、本発明の一実施形態を説明したが、本発明は上記構成に限定されるものではなく、特許請求の範囲に記載された発明の範囲内で種々の変更が可能である。
【００７９】
例えば、上記実施形態においては、瓦桟２０の切欠部２１は当該瓦桟２０の長手方向全域に亘って形成されるものとしたが、本発明はこれに限るものではなく、任意の位置に形成することも可能である。例えば、切欠部２１を瓦桟２０の長手方向に所定の間隔をあけて複数形成することも可能である。この場合、瓦１０の配置に対応した位置に切欠部２１を形成することが望ましい。また、第一係合部２２も切欠部２１と同様に、任意の位置に形成することが可能である。
【００８０】
また、切欠部２１を形成する位置は、瓦桟２０の底部に限るものではない。すなわち、切欠部２１は、瓦桟２０の外側面（上下、前後及び左右の側面）のうち、瓦保持クリップ３０を係止することができる任意の位置に形成することが可能である。
【００８１】
また、瓦桟２０の第一係合部２２及び瓦保持クリップ３０の第二係合部３３ｄは必ずしも必要ではない。すなわち、第一係合部２２及び第二係合部３３ｄがなくとも瓦１０を瓦桟２０に強固に固定できる場合には、第一係合部２２及び第二係合部３３ｄを省略することも可能である。
【００８２】
また、上記実施形態や変形例で示した瓦保持クリップ３０の形状は一例であり、その一部を瓦桟２０の切欠部２１に挿入した状態で瓦１０を瓦桟２０に固定することができるものであれば、その形状や大きさは任意に変更することが可能である。
【００８３】
また、本発明は、以下で説明する変形例の如く構成することも可能である。
【００８４】
例えば、図８に示す第一変形例に係る瓦桟１２０の如く、瓦桟１２０の側部に切欠部２１を形成してもよい。具体的には、第一変形例においては、瓦桟１２０の流れ方向における水上側（後側）の側面の一部を前方に向かって凹ませるようにして切欠部２１が形成されている。
【００８５】
また、図９及び図１０に示す第二変形例に係る瓦桟２２０の如く、瓦桟２２０を２つの部材を組み合わせて構成してもよい。具体的には、第二変形例においては、瓦桟２２０は第一部材２０ａ及び第二部材２０ｂによって構成されている。
【００８６】
第一部材２０ａは、瓦桟２２０の上部を形成する部材である。第一部材２０ａは、左右方向に長く延びるように形成される。第一部材２０ａは、側面視において後下部が下方に向かって突出した略Ｌ字状に形成される。
【００８７】
第二部材２０ｂは、瓦桟２２０の下部を形成する部材である。第二部材２０ｂは、直方体状に形成される。第二部材２０ｂの上下方向幅（高さ）は、第一部材２０ａの後下部の突出した部分よりも大きくなるように形成される。
【００８８】
複数の第二部材２０ｂを、互いに適宜の間隔をあけて第一部材２０ａの前下部に固定することで、瓦桟２２０が形成される。このように構成された瓦桟２０の後下部（第一部材２０ａの後下部と、第二部材２０ｂとの段差部分）に切欠部２１が形成されることになる。また、第一部材２０ａの後下部の突出した部分と第二部材２０ｂとの間に第一係合部２２が形成されることになる。また、隣り合った第二部材２０ｂの間に溝部２３が形成されることになる。
【００８９】
このように、瓦桟２２０を複数の部材で形成することで、各部材の形状を単純化することができ、各部材の製造の容易化を図ることができる。
【００９０】
また、図１１に示す第三変形例のように、瓦保持クリップ３３０を瓦桟３２０に刺すことによって、当該瓦保持クリップ３３０の回動を規制してもよい。具体的には、第三変形例に係る瓦保持クリップ３３０の下部３３ｃには、先端が鋭く尖った先鋭部３３ｅが形成される。瓦保持クリップ３３０を回動させて、当該瓦保持クリップ３３０の下部３３ｃが瓦桟３２０の下方（切欠部２１と野地Ａとの間の空間）に挿入される際に、先鋭部３３ｅが瓦桟３２０に刺し込まれる。これによって、瓦保持クリップ３３０の回動が規制され、当該瓦保持クリップ３３０が瓦桟３２０から外れ難くなる。なお、この場合、図７に示すような瓦桟２０の第一係合部２２は不要となる。
【００９１】
また、図１２に示す第四変形例に係る瓦桟４２０の如く、溝部２３の流れ方向水上側（後側）の端部の幅を広げるように形成してもよい。これによって、水（雨水）を溝部２３に案内し易くなり、水抜きをし易くすることができる。
【００９２】
このように、溝部２３の形状は限定するものではなく、水抜きしやすい形状に適宜変更することが可能である。
【００９３】
また、図１３及び図１４に示す第五変形例に係る瓦桟５２０の如く、切欠部２１を前後両端部にそれぞれ形成してもよい。具体的には、第五変形例に係る瓦桟５２０の底部の前後中央部には、第一係合部２２が形成される。また瓦桟５２０の底部には、当該第一係合部２２を挟んで前後両側に切欠部２１が形成される。切欠部２１は、瓦桟５２０の長手方向に沿って互いに適宜の間隔をあけて複数形成される。また切欠部２１は、切欠部２１を挟んで前後に対称となるような位置及び形状に形成される。このようにして、前後に対称な形状の瓦桟５２０が形成される。
【００９４】
このように構成された瓦桟５２０の切欠部２１に瓦保持クリップ３０の下部３３ｃを係止することで、瓦１０を瓦桟５２０に固定することができる。また、瓦桟５２０の前後両側に形成された切欠部２１を介して水を流通させることができる。すなわち、瓦桟５２０の切欠部２１は、水抜きのための溝部として利用することができる。さらに、瓦桟５２０は前後対称な形状に形成されているため、当該瓦桟５２０の前後方向の向きを逆にして使用することができる。これによって、施工の際に瓦桟５２０の向きの間違えを防止することができ、また当該瓦桟５２０の向きを確認する作業を省略することができる。
【符号の説明】
【００９５】
１０    瓦
２０    瓦桟
２１    切欠部
２２    第一係合部
２３    溝部
３０    瓦保持クリップ
３１    挿入部
３２    接続部
３３    保持部
３３ｄ  第二係合部
【図１】
0006689601.tif 000002
【図２】
0006689601.tif 000003
【図３】
0006689601.tif 000004
【図４】
0006689601.tif 000005
【図５】
0006689601.tif 000006
【図６】
0006689601.tif 000007
【図７】
0006689601.tif 000008
【図８】
0006689601.tif 000009
【図９】
0006689601.tif 000010
【図１０】
0006689601.tif 000011
【図１１】
0006689601.tif 000012
【図１２】
0006689601.tif 000013
【図１３】
0006689601.tif 000014
【図１４】
0006689601.tif 000015